(57)【要約】      （修正有）【課題】簡単な構造で、容易にバンドを取り外すことができるバンド取付構造およびそれを備えた腕時計を提供する。【解決手段】一対の取付突起部９に係止孔１７が設けられたバンド取付部８と、一対の取付突起部９間に配置される端部１０ａに貫通孔１３が設けられた時計バンド１０と、この時計バンド１０の貫通孔１３内に配置されるパイプ部からピン部が弾力的に突出して係止孔１７に挿入する連結部材１２と、時計バンド１０の端部１０ａにこれを跨いで配置された一対のレバー部１８を互いに接近する方向に押圧操作して、連結部材１２のピン部を係止孔１７から離脱させる解除操作部材１１と、を備えている。従って、解除操作部材１１を時計バンド１０の端部１０ａに連結部材によって取り付けることができるので、構造が簡単であり、また一対のレバー部１８を押圧操作するだけで、ピン部を係止孔１７から離脱させることができる。【選択図】図３
2015230240.tif 000002
【特許請求の範囲】
【請求項１】
一対の取付突起部に係止孔が対向して設けられたバンド取付部と、
前記一対の取付突起部間に端部が配置され、この端部に貫通孔が前記係止孔と同一軸上で対応して設けられたバンドと、
前記バンドの前記貫通孔内に配置されるパイプ部の両端部からピン部がそれぞれ弾力的に突出して前記一対の取付突起部の前記係止孔に挿入する連結部材と、
前記バンドの前記端部にこれを跨いで配置された一対のレバー部を互いに接近する方向に押圧操作して、前記連結部材の前記ピン部を前記一対の取付突起部の前記係止孔から離脱させる解除操作部材と、
を備えていることを特徴とするバンド取付構造。
【請求項２】
請求項１に記載のバンド取付構造において、前記解除操作部材は、前記一対のレバー部に前記連結部材の前記ピン部が挿入して突出するピン挿入孔が設けられ、このピン挿入孔から突出した前記ピン部によって前記一対のレバー部が前記バンド取付部に取り付けられ、この状態で前記一対のレバー部が互いに接近する方向に押圧操作されて弾性変形することにより、前記連結部材の前記ピン部を前記一対の取付突起部の前記係止孔から離脱させることを特徴とするバンド取付構造。
【請求項３】
請求項１または請求項２に記載のバンド取付構造において、前記解除操作部材は、前記一対のレバー部が互いに接近する方向に押圧操作されて弾性変形する際に、前記連結部材の前記ピン部に設けられた鍔部を前記パイプ部内に向けて移動させることにより、前記ピン部を前記一対の取付突起部の前記係止孔から離脱させることを特徴とするバンド取付構造。
【請求項４】
請求項１〜請求項３のいずれかに記載のバンド取付構造において、前記解除操作部材の前記一対のレバー部を互いに接近する方向に押圧操作して前記バンドを交換する場合に、前記バンドは、前記連結部材を中心に前記一対のレバー部に対して所定の角度開いた状態とすることを特徴とするバンド取付構造。
【請求項５】
請求項４に記載のバンド取付構造において、前記バンドの前記端部の両側には、前記解除操作部材の前記一対のレバー部が互いに接近する方向に押圧操作された際に、前記一対のレバー部を弾性変形させるための逃げ部が設けられていることを特徴とするバンド取付構造。
【請求項６】
請求項１〜請求項５のいずれかに記載のバンド取付構造において、前記バンドを腕に付けて使用する場合に、前記バンドは、前記連結部材を中心に前記一対のレバー部に対して所定の角度開いていない状態とし、前記解除操作部材は、前記一対のレバー部を互いに接近する方向に押圧操作されても、前記一対のレバー部が前記バンドの前記端部の両側面に当接することにより、前記連結部材の前記ピン部を前記一対の取付突起部の前記係止孔から離脱させないことを特徴とするバンド取付構造。
【請求項７】
請求項６に記載のバンド取付構造において、前記解除操作部材に対する前記バンドの回転位置を規制するバンド規制部を備えていることを特徴とするバンド取付構造。
【請求項８】
請求項１〜請求項７のいずれかに記載のバンド取付構造において、前記解除操作部材は、前記連結部材の前記ピン部が挿入されるピン挿入孔に対応する個所の前記一対のレバー部が薄肉部に形成されて前記バンドの前記端部の両側と前記一対の取付突起部との間に配置され、前記バンドの前記端部の裏面側に突出する個所の前記一対のレバー部が厚肉部に形成され、前記バンドの前記端部の裏面側に突出した前記厚肉部が互いに接近する方向に押圧操作された際に、前記薄肉部が弾性変形することを特徴とするバンド取付構造。
【請求項９】
請求項１〜請求項８のいずれかに記載のバンド取付構造において、前記解除操作部材の前記一対のレバー部における互いに対向する各対向面には、前記連結部材の前記ピン部を前記ピン挿入孔にガイドするガイド溝がそれぞれ設けられていることを特徴とするバンド取付構造。
【請求項１０】
請求項１〜請求項９のいずれかに記載のバンド取付構造において、前記バンド取付部に対する前記解除操作部材の回転位置を規制するレバー規制部を備えていることを特徴とするバンド取付構造。
【請求項１１】
請求項１〜請求項１０のいずれかに記載されたバンド取付構造を備えていることを特徴とする腕時計。
【発明の詳細な説明】
【技術分野】
【０００１】
この発明は、腕時計などの腕装着型の電子機器、または鞄やバッグなどに用いられるバンド取付構造およびそれを備えた腕時計に関する。
【背景技術】
【０００２】
例えば、腕時計のバンド取付構造においては、特許文献１に記載されているように、腕時計ケースに設けられたバンド取付部に時計バンドの端部を連結ピンによって取り付けると共に、このバンド取付部に連結ピンの端部を着脱可能に係止する着脱係止部材を設けた構成のものが知られている。
【先行技術文献】
【特許文献】
【０００３】
【特許文献１】特開平０７−３０３５０６号公報
【０００４】
このようなバンド取付構造の着脱係止部材は、バンド取付部に回転可能に取り付けられたカム筒と、このカム筒内にスライド可能に挿入してバンド取付部の外部に突出するプッシュ釦と、このプッシュ釦のスライドに伴ってカム筒を回転させる連動機構と、を備えている。これにより、着脱係止部材は、時計バンドの端部に取り付けられた連結ピンの端部をカム筒内に挿入させて係止することにより、バンド取付部に時計バンドの端部を取り付けるように構成されている。
【０００５】
また、この着脱係止部材は、プッシュ釦を押圧してカム筒内でスライドさせると、プッシュ釦のスライドに伴って連動機構がカム筒を回転させ、このカム筒の回転によってカム筒に係止された連結ピンの端部をカム筒の切欠き部に対応させ、この切欠き部を通して連結ピンの端部をカム筒から離脱させることにより、時計バンドがバンド取付部から取り外せるように構成されている。
【発明の概要】
【発明が解決しようとする課題】
【０００６】
しかしながら、このようなバンド取付構造では、プッシュ釦を押圧操作することにより、簡単にバンド取付部から時計バンドを取り外すことができても、バンド取付部に連結ピンの端部を着脱可能に係止する着脱係止部材が、バンド取付部に回転可能に取り付けられたカム筒と、このカム筒内にスライド可能に挿入するプッシュ釦と、このプッシュ釦のスライドに伴ってカム筒を回転させる連動機構と、を有する構成であるから、構造が複雑で、部品点数が多く、製作が面倒であるという問題がある。
【０００７】
この発明が解決しようとする課題は、簡単な構造で、容易にバンドを取り外すことができるバンド取付構造およびそれを備えた腕時計を提供することである。
【課題を解決するための手段】
【０００８】
この発明は、一対の取付突起部に係止孔が対向して設けられたバンド取付部と、前記一対の取付突起部間に端部が配置され、この端部に貫通孔が前記係止孔と同一軸上で対応して設けられたバンドと、前記バンドの前記貫通孔内に配置されるパイプ部の両端部からピン部がそれぞれ弾力的に突出して前記一対の取付突起部の前記係止孔に挿入する連結部材と、前記バンドの前記端部にこれを跨いで配置された一対のレバー部を互いに接近する方向に押圧操作して、前記連結部材の前記ピン部を前記一対の取付突起部の前記係止孔から離脱させる解除操作部材と、を備えていることを特徴とするバンド取付構造である。
【発明の効果】
【０００９】
この発明によれば、解除操作部材をバンドの端部にこれを跨いで配置し、この状態で連結部材によってバンドの端部に取り付けることができるので、構造が簡単で、部品点数が少なく、容易に製作することができ、また解除操作部材の一対のレバー部を互いに接近する方向に押圧操作するだけで、ピン部を一対の取付突起部の係止孔から離脱させることができるので、容易にバンドをバンド取付部から取り外すことができる。このため、簡単な構造で、容易にバンドを取り外すことができる。
【図面の簡単な説明】
【００１０】
【図１】この発明を腕時計に適用した一実施形態を示した拡大正面図である。
【図２】図１に示された腕時計のＡ−Ａ矢視における要部の拡大断面図である。
【図３】図１に示された腕時計におけるバンド取付構造を分解して示した拡大斜視図である。
【図４】図１に示された腕時計のＢ−Ｂ矢視における要部の拡大断面図である。
【図５】図３に示された時計バンドの要部を示した拡大斜視図である。
【図６】図３に示された解除操作部材を腕時計ケース側から見た拡大斜視図である。
【図７】図５に示された時計バンドの端部に解除操作部材を取り付ける状態を示した要部の分解斜視図である。
【図８】図７に示された時計バンドを解除操作部材と共に腕時計ケースに取り付けた状態を示し、（ａ）はその上面側から見た斜視図、（ｂ）はそれを上下反転した状態を示した斜視図である。
【図９】図８に示された腕時計を時計バンドによって腕に取り付ける状態を示し、（ａ）はその上面側から見た斜視図、（ｂ）はその下面側から見た斜視図である。
【図１０】この発明のバンド取付構造におけるバンド規制部の変形例を示した要部の拡大斜視図である。
【発明を実施するための形態】
【００１１】
以下、図１〜図９を参照して、この発明を腕時計に適用した一実施形態について説明する。
この腕時計は、図１および図２に示すように、腕時計ケース１を備えている。この腕時計ケース１は、硬質の合成樹脂からなるケース本体２と、このケース本体２の外周に設けられたウレタン樹脂などの軟質の合成樹脂からなるベゼル３と、を有している。
【００１２】
この場合、ケース本体２には、図２に示すように、金属製の補強部材２ａがインサート成型によって埋め込まれている。また、この腕時計ケース１の上部開口部、つまりケース本体２の上部開口部には、時計ガラス４がパッキン４ａを介して取り付けられている。この腕時計ケース１の下部、つまりケース本体２の下部には、裏蓋５が防水リング５ａを介して取り付けられている。
【００１３】
この腕時計ケース１は、図２に示すように、その内部つまりケース本体２の内部に時計モジュール６が配置されるように構成されている。この時計モジュール６は、時計機能に必要な各種の部品を備えている。さらに、この腕時計ケース１の２時側、４時側、８時側、および１０時側に位置する外周面には、図１に示すように、スイッチ釦７がそれぞれ設けられている。
【００１４】
また、この腕時計ケース１の１２時側と６時側とに位置する外周面には、図１および図３に示すように、後述する時計バンド１０が取り付けられるバンド取付部８がそれぞれ側方に突出して設けられている。このバンド取付部８は、腕時計ケース１の外側面から側方に突出する一対の取付突起部９を備えている。
【００１５】
これら一対の取付突起部９は、図３および図４に示すように、腕時計ケース１のケース本体２に一体に形成された突起本体部９ａと、腕時計ケース１のベゼル３に一体に形成されて突起本体部９ａの外面にこれを覆って配置されたベゼル突起部９ｂと、を有している。このバンド取付部８は、図１、図３および図４に示すように、時計バンド１０の端部１０ａが一対の取付突起部９間に配置されるように構成されている。
【００１６】
時計バンド１０は、ウレタン樹脂などの軟質の合成樹脂によって形成されている。この時計バンド１０は、図１、図３および図４に示すように、その端部１０ａが腕時計ケース１のバンド取付部８に連結部材１２によって解除操作部材１１と共に取り付けられるように構成されている。この場合、時計バンド１０は、図１に示すように、その長手方向と直交する方向の長さ（幅）が一対の取付突起部９間の長さとほぼ同じ長さで形成されている。
【００１７】
これにより、時計バンド１０の端部１０ａは、図１および図４に示すように、バンド取付部８の一対の取付突起部９間に配置されるように構成されている。この場合、時計バンド１０の端部１０ａには、図２〜図５に示すように、連結部材１２が挿入する貫通孔１３が時計バンド１０の長手方向に対して直交する方向に貫通して設けられている。
【００１８】
連結部材１２は、図４に示すように、ばね棒であり、時計バンド１０の貫通孔１３に挿入するパイプ部１４と、このパイプ部１４の両端部から出没可能に突出する一対のピン部１５と、パイプ部１４内に設けられたコイルばね１６と、を備えている。これにより、連結部材１２は、一対のピン部１５がコイルばね１６のばね力によってパイプ部１４の両端部から弾力的に押し出されるように構成されている。
【００１９】
この場合、一対のピン部１５には、図４に示すように、それぞれ鍔部１５ａが設けられている。この鍔部１５ａは、その外形がパイプ部１４の外形と同じ大きさに形成されている。これにより、鍔部１５ａは、時計バンド１０の貫通孔１３内に挿入して通過するように構成されている。また、この鍔部１５ａは、ピン部１５がパイプ部１４から弾力的に押し出された状態のときに、そのピン部１５の突出方向におけるほぼ中間部に位置して設けられている。
【００２０】
これにより、一対のピン部１５は、図４に示すように、鍔部１５ａとパイプ部１４の端部との間の長さだけ、パイプ部１４に対する出没方向にスライドするように構成されている。また、一対のピン部１５は、鍔部１５ａから先端部までの長さが、後述する解除操作部材１１のピン挿入孔２１の軸方向の長さよりも長く形成されている。これにより、一対のピン部１５は、解除操作部材１１のピン挿入孔２１に挿入された際に、そのピン部１５の先端が解除操作部材１１から外部に突出するように構成されている。
【００２１】
一方、バンド取付部８における一対の取付突起部９の対向面には、図３および図４に示すように、連結部材１２の各ピン部１５がそれぞれ挿入する各係止孔１７が設けられている。この場合、各係止孔１７は、一対の取付突起部９の各突起本体部９ａの対向面のみに、時計バンド１０の貫通孔１３と同一軸上に対応して設けられている。
【００２２】
この場合、各係止孔１７は、図３および図４に示すように、その外端部が一対の取付突起部９の各ベゼル突起部９ｂで覆われている。これら各係止孔１７は、その内径が連結部材１２の各ピン部１５の外径よりも少し大きく、かつ時計バンド１０の貫通孔１３の内径よりも小さく形成されている。
【００２３】
ところで、解除操作部材１１は、ポリアミド系樹脂などの剛性の高い合成樹脂で形成されている。この解除操作部材１１は、図１〜図４に示すように、時計バンド１０の端部１０ａの両側に配置される一対のレバー部１８と、時計バンド１０の端部１０ａの上面にこれを跨いで配置されて一対のレバー部１８を連結する連結辺部１９と、を有している。
【００２４】
この場合、一対のレバー部１８は、図３および図４に示すように、その間に時計バンド１０が配置され、この時計バンド１０の端部１０ａの上面に連結辺部１９が配置された際に、時計バンド１０の下側に一対のレバー部１８の各一部が突出するように構成されている。また、これら一対のレバー部１８は、時計バンド１０の下側に突出した各一部が互いに接近する方向に押圧された際に、連結辺部１９の両端部を支点として互いに接近する方向に弾性変形するように構成されている。
【００２５】
すなわち、一対のレバー部１８は、図３および図４に示すように、時計バンド１０の端部１０ａに設けられた貫通孔１３の近傍に位置する部分が、それぞれ肉厚の薄い薄肉部１８ａに形成され、この薄肉部１８ａが時計バンド１０の端部１０ａの両側部とバンド取付部８の一対の取付突起部９との間に配置されるように構成されている。
【００２６】
また、一対のレバー部１８は、図３および図４に示すように、時計バンド１０の貫通孔１３から離れた個所で、時計バンド１０の下側に突出する各一部が、薄肉部１８ａよりも肉厚の厚い厚肉部１８ｂに形成されている。この場合、一対のレバー部１８は、薄肉部１８ａと厚肉部１８ｂとの各内側面が同一平面に形成され、薄肉部１８ａと厚肉部１８ｂとの境界部分における各外側面が段差状に形成されている。
【００２７】
これにより、一対のレバー部１８は、図３、図４および図７に示すように、時計バンド１０の両側に配置された状態で、時計バンド１０の下側（裏面）に厚肉部１８ｂが突出し、この突出した厚肉部１８ｂが互いに接近する方向に押圧された際に、時計バンド１０の端部１０ａの両側に位置する薄肉部１８ａが連結辺部１９の両端部を支点として互いに接近する方向に弾性変形するように構成されている。
【００２８】
この場合、時計バンド１０の端部１０ａにおける両側部には、図４および図５に示すように、一対のレバー部１８を互いに接近する方向に弾性変形させるための逃げ部２０がそれぞれ設けられている。この逃げ部２０は、図５に示すように、一対のレバー部１８の薄肉部１８ａに対応する個所において、時計バンド１０の端部１０ａに設けられた貫通孔１３の中心を境にして、時計バンド１０の下部側が切り欠かれることによって形成されている。
【００２９】
また、一対のレバー部１８には、図３および図４に示すように、連結部材１２のピン部１５の先端側が出没可能に挿入するピン挿入孔２１がそれぞれ設けられている。すなわち、このピン挿入孔２１は、時計バンド１０の貫通孔１３の両端部に位置する一対のレバー部１８の薄肉部１８ａに設けている。このピン挿入孔２１は、その内径が連結部材１２のピン部１５の外径とほぼ同じ大きさに形成されている。
【００３０】
これにより、ピン挿入孔２１は、図３および図４に示すように、ピン部１５が挿入された際に、ピン部１５の鍔部１５ａが一対のレバー部１８の各対向面に当接した状態で、ピン部１５の先端部が一対のレバー部１８の外面から突出し、この突出したピン部１５の先端部をバンド取付部８の一対の取付突起部９の各係止孔１７に挿入させるように構成されている。
【００３１】
この場合、一対のレバー部１８の各対向面には、図３に示すように、連結部材１２のピン部１５をピン挿入孔２１にガイドするガイド溝２２がそれぞれ設けられている。このガイド溝２２は、腕時計ケース１側に位置するレバー部１８の端部からレバー部１８のピン挿入孔２１に亘って設けられている。また、このガイド溝２２は、そのガイド方向と直交する方向の長さ（溝幅）が、ピン部１５の鍔部１５ａの外径とほぼ同じ長さで形成されている。
【００３２】
これにより、連結部材１２は、図２〜図４に示すように、パイプ部１４を腕時計ケース１側から一対のレバー部１８間に配置する際に、一対のピン部１５をパイプ部１４に押し込んで、各鍔部１５ａをパイプ部１４の両端部に接近または当接させた状態で、各ピン部１５の先端部を各レバー部１８のガイド溝２２に挿入させ、この状態でガイド溝２２に沿ってピン部１５の先端部を移動させることにより、ピン部１５の先端部が一対のレバー部１８のピン挿入孔２１に挿入するように構成されている。
【００３３】
このため、解除操作部材１１は、図３、図４および図７に示すように、時計バンド１０の貫通孔１３に連結部材１２のパイプ部１４が挿入された状態で、連結部材１２が一対のレバー部１８間に配置され、この連結部材１２のコイルばね１６のばね力によって一対のピン部１５がパイプ部１４の両端部から押し出されると、一対のピン部１５が一対のレバー部１８の各ピン挿入孔２１に挿入することにより、時計バンド１０の端部１０ａに連結部材１２によって回転可能に取り付けられるように構成されている。
【００３４】
また、この解除操作部材１１は、図２〜図４に示すように、バンド取付部８の一対の取付突起部９間に配置された状態で、連結部材１２の一対のピン部１５が一対のレバー部１８の各ピン挿入孔２１に挿入されて、各鍔部１５ａが一対のレバー部１８の各ガイド溝２２内に当接した際に、一対のピン部１５の各先端部が一対のレバー部１８の外面側に突出して一対の取付突起部９の各係止孔１７に挿入することにより、時計バンド１０の端部１０ａと共にバンド取付部８に回転可能に取り付けられるように構成されている。
【００３５】
この場合、連結部材１２は、図４に示すように、一対のピン部１５の各鍔部１５ａが一対のレバー部１８の各ガイド溝２２内に当接して、一対のピン部１５の各先端部が一対の取付突起部９の各係止孔１７に挿入することにより、各ピン部１５がコイルばね１６による一定のばね力で、かつ一定の挿入長さで各係止孔１７内に挿入されて係止されるように構成されている。
【００３６】
また、解除操作部材１１には、図２〜図４および図６に示すように、時計バンド１０の端部１０ａの回転位置を規制する一対のバンド規制部２３が設けられている。すなわち、一対のバンド規制部２３は、図２および図３に示すように、ほぼ長方形状の突起部であり、一対のレバー部１８の各厚肉部１８ｂにおける各対向面の下部に互いに対向する方向に突出して設けられている。
【００３７】
この場合、一対のバンド規制部２３は、図２および図３に示すように、一対のレバー部１８の各対向面における時計バンド１０の長手方向に沿う中間部から腕時計ケース１側に位置して設けられている。また、これら一対のバンド規制部２３は、時計バンド１０の端部１０ａが一対のレバー部１８間に配置されて、時計バンド１０の端部１０ａの下面（裏面）が当接する際に、腕時計ケース１と反対側に位置する各端面が時計バンド１０の端部１０ａの下面（裏面）とほぼ平行になる傾斜面に形成されている。
【００３８】
これにより、一対のバンド規制部２３は、図２〜図４に示すように、連結部材１２を中心に時計バンド１０が腕時計ケース１の下側に向けて回転して、時計バンド１０の端部１０ａが一対のレバー部１８間に配置された際に、各傾斜面に時計バンド１０の端部１０ａの下面（裏面）が当接することにより、連結部材１２を中心とする時計バンド１０の回転位置を規制するように構成されている。
【００３９】
この場合、時計バンド１０は、図２および図８（ａ）に示すように、連結部材１２を中心に時計バンド１０が腕時計ケース１の上側に向けて回転して、時計バンド１０の端部１０ａが一対のバンド規制部２３から離れて一対のレバー部１８間から離脱した際に、一対のレバー部１８を連結する連結辺部１９に時計バンド１０の端部１０ａの上面が当接することにより、連結部材１２を中心とする時計バンド１０の回転位置が規制されるように構成されている。さらに、時計バンド１０は、図８（ａ）に示すように、連結部材１２を中心に腕時計ケース１の上側に向けて回転した際に、連結部材１２を中心に一対のレバー部１８に対して腕時計ケース１の上側に向けて所定の角度開いた状態となる。
【００４０】
さらに、解除操作部材１１には、図３および図４に示すように、腕時計ケース１のバンド取付部８に対する解除操作部材１１の回転位置を規制する一対のレバー規制部２４が設けられている。これら一対のレバー規制部２４は、一対のレバー部１８の薄肉部１８ａと厚肉部１８ｂとの外側面における境界部分に設けられた段差状の傾斜部である。
【００４１】
これら一対のレバー規制部２４は、図３および図４に示すように、連結部材１２を中心に解除操作部材１１の一対のカバー部１８が腕時計ケース１の下面側に向けて回転した際に、段差状の傾斜部がバンド取付部８の一対の取付突起部９の下端部、つまり各突起本体部９ａの下端部に接離可能に当接することにより、バンド取付部８に対する解除操作部材１１の回転位置を規制するように構成されている。
【００４２】
この場合、解除操作部材１１は、図２および図８（ａ）に示すように、時計バンド１０が連結部材１２を中心に腕時計ケース１の上側に向けて回転し、これに伴って一対のレバー部１８が連結部材１２を中心に同方向に回転した際に、一対のレバー部１８を連結する連結辺部１９が腕時計ケース１のベゼル３に弾力的に当接するように構成されている。これにより、解除操作部材１１は、バンド取付部８に対する回転位置が規制されると共に、腕時計ケース１の下面側（裏面側）から衝撃を受けても、その衝撃を吸収するように構成されている。
【００４３】
次に、この腕時計ケース１に時計バンド１０を取り付ける場合について説明する。
この場合には、まず、時計バンド１０の端部１０ａに解除操作部材１１を取り付ける。このときには、図７に示すように、解除操作部材１１の一対のレバー部１８間に時計バンド１０の端部１０ａを挿入する。すなわち、一対のレバー部１８間における連結辺部１９と一対のバンド規制部２３との間に時計バンド１０の端部１０ａを挿入させて、一対のレバー部１８を時計バンド１０の両側に配置する。
【００４４】
この状態で、図７に示すように、解除操作部材１１から突出した時計バンド１０の端部１０ａの貫通孔１３に連結部材１２のパイプ部１４を挿入する。このときには、時計バンド１０の貫通孔１３の一端部から一方のピン部１５および鍔部１５ａを時計バンド１０の貫通孔１３に挿入させて、貫通孔１３の他端部に突出させる。これにより、時計バンド１０の貫通孔１３の両側に一対のピン部１５が各鍔部１５ａと共に突出する。
【００４５】
そして、時計バンド１０の貫通孔１３の両側に突出した一対のピン部１５をパイプ部１４内に向けて押し込み、一対のピン部１５の各鍔部１５ａをパイプ部１４の両端部に接近または当接させる。この状態で、解除操作部材１１を時計バンド１０の端部１０ａに移動させて、一対のピン部１５の各先端部を一対のレバー部１８間に配置する。このときには、一対のレバー部１８の各対向面に設けられた各ガイド溝２２に一対のピン部１５の各先端部を挿入させる。
【００４６】
この状態で、解除操作部材１１を連結部材１２に向けて時計バンド１０に沿って移動させると、一対のピン部１５の各先端部が一対のレバー部１８の各ガイド溝２２に沿ってガイドされ、このガイドされた一対のピン部１５の各先端部が一対のレバー部１８の薄肉部１８ａに設けられた各ピン挿入孔２１に対応する。
【００４７】
すると、一対のピン部１５がコイルばね１６のばね力によってパイプ部１４から押し出されて、一対のピン部１５の各先端部が一対のレバー部１８の各ピン挿入孔２１に挿入する。これにより、解除操作部材１１が時計バンド１０の端部１０ａに連結部材１２によって回転可能な状態で取り付けられる。
【００４８】
このときには、一対のピン部１５に設けられた各鍔部１５ａがコイルばね１６のばね力によって一対のレバー部１８の各対向面に設けられたガイド溝２２内に弾力的に押し付けられ、この状態で一対のピン部１５の各先端部が一対のレバー部１８の薄肉部１８ａから外部に突出する。また、このときには、一対のレバー部１８の各薄肉部１８ａが時計バンド１０の端部１０ａの両側に対応し、一対のレバー部１８の各厚肉部１８ｂが時計バンド１０の端部１０ａの下面側（裏面側）に突出する。
【００４９】
この状態で、時計バンド１０の端部１０ａを解除操作部材１１と共に腕時計ケース１のバンド取付部８に取り付ける。このときには、一対のレバー部１８の各厚肉部１８ｂを互いに接近する方向に押圧する。すると、一対のレバー部１８が連結辺部１９の両端部を支点として互いに接近する方向に撓み変形する。このため、連結部材１２の一対のピン部１５の各鍔部１５ａが一対のレバー部１８によってパイプ部１４側に向けて押される。
【００５０】
これにより、一対のレバー部１８の薄肉部１８ａから突出した一対のピン部１５の各先端部が、コイルばね１６のばね力に抗して一対のレバー部１８の各ピン挿入孔２１内に押し込まれる。この状態で、解除操作部材１１を時計バンド１０の端部１０ａと共にバンド取付部８の一対の取付突起部９間に配置する。そして、一対のピン部１５の各先端部を一対の取付突起部９に設けられた各係止孔１７に対応させる。
【００５１】
すると、一対のピン部１５がコイルばね１６のばね力によって一対のレバー部１８の各ピン挿入孔２１内から押し出されて、一対のピン部１５の各先端部が一対の取付突起部９の各係止孔１７に挿入する。このときには、一対のレバー部１８が元の状態に弾性復帰すると共に、一対のピン部１５の各鍔部１５ａが一対のレバー部１８の各ガイド溝２２内に押し付けられる。これにより、解除操作部材１１が時計バンド１０の端部１０ａと共にバンド取付部８に連結部材１２によって回転可能な状態で取り付けられる。
【００５２】
この状態では、腕時計ケース１が下側から衝撃を受ける際に、時計バンド１０が連結部材１２を中心に腕時計ケース１の上側に向けて回転し、これに伴って解除操作部材１１の一対のレバー部１８も、連結部材１２を中心に同方向に回転する。このときには、解除操作部材１１の連結辺部１９が腕時計ケース１のベゼル３に弾力的に当接するので、このベゼル３によって衝撃が吸収される。
【００５３】
次に、この腕時計を腕に取り付けて使用する場合について説明する。
この場合には、腕時計ケース１を腕に配置して、時計バンド１０を腕に巻き付けて連結する。このときには、図９（ａ）および図９（ｂ）に示すように、時計バンド１０の締め付けによって時計バンド１０の端部１０ａが連結部材１２を中心に腕時計ケース１の下側に向けて回転する。
【００５４】
このため、図９（ａ）および図９（ｂ）に示すように、時計バンド１０の端部１０ａが解除操作部材１１の一対のレバー部１８における各薄肉部１８ａ間と各厚肉部１８ｂ間とに亘って配置され、この時計バンド１０の端部１０ａの下面（裏面）が一対のレバー部１８の各バンド規制部２３に当接する。
【００５５】
この場合、時計バンド１０は、図９（ａ）に示すように、時計バンド１０の長手方向に沿って一対のレバー部１８の間に配置された状態となる。つまり、時計バンド１０は、連結部材１２を中心に一対のレバー部１８に対して腕時計ケース１の上側に向けて所定の角度開いていない状態となる。すると、解除操作部材１１が連結部材１２を中心に腕時計ケース１の下側に向けて回転し、一対のレバー部１８の外面に設けられたレバー規制部２４の傾斜部がバンド取付部８の一対の取付突起部９の各下端部に当接する。
【００５６】
これにより、腕時計ケース１のバンド取付部８に対して解除操作部材１１が腕時計ケース１の下側に向けて回転する際、その回転位置がレバー規制部２４によって規制される。このため、時計バンド１０の端部１０ａの下面が一対のレバー部１８の各バンド規制部２３に当接していることにより、解除操作部材１１に対して時計バンド１０が腕時計ケース１の下側に向けて回転する際、その回転位置も規制される。
【００５７】
このため、時計バンド１０が腕にフィットした状態で良好に取り付けられる。この状態では、時計バンド１０の端部１０ａが解除操作部材１１の一対のレバー部１８における各
各厚肉部１８ｂ間に配置されていることにより、図９（ｂ）に示すように、一対のレバー部１８の各厚肉部１８ｂが互いに接近する方向に押圧操作されても、一対のレバー部１８が時計バンド１０の端部１０ａの両側面に当接する。
【００５８】
これにより、図９（ｂ）に示すように、一対のレバー部１８が互いに接近する方向に撓み変形することがないので、連結部材１２の一対のピン部１５がバンド取付部８の一対の取付突起部９の各係止孔１７から離脱することがない。このため、腕時計ケース１を時計バンド１０によって腕に取り付けた状態で使用している際に、不用意に解除操作部材１１の一対のレバー部１８が互いに接近する方向に弾性変形して、時計バンド１０がバンド取付部８から勝手に外れることがない。
【００５９】
次に、時計バンド１０を腕時計ケース１から取り外して交換する場合について説明する。
この場合には、図８（ａ）および図８（ｂ）に示すように、連結部材１２を中心に時計バンド１０の端部１０ａを腕時計ケース１の上側に向けて回転させて、腕時計ケース１の側方に向けて延びた状態にする。このときには、時計バンド１０の端部１０ａが解除操作部材１１の一対のレバー部１８における各厚肉部１８ｂ間から離脱し、一対のレバー部１８の各薄肉部１８ａ間のみに配置される。つまり、時計バンド１０は、連結部材１２を中心に一対のレバー部１８に対して腕時計ケース１の上側に向けて所定の角度開いた状態となる。
【００６０】
このため、図８（ａ）および図８（ｂ）に示すように、一対のレバー部１８の各厚肉部１８ｂが時計バンド１０の端部１０ａから下側（図８（ｂ）では上側）に突出した状態になる。これにより、一対のレバー部１８が互いに接近する方向に押圧操作可能な状態になる。この状態で、一対のレバー部１８の各厚肉部１８ｂを互いに接近する方向に押圧操作すると、一対のレバー部１８の各薄肉部１８ａが連結辺部１９の両端部を支点として互いに接近する方向に撓み変形する。
【００６１】
このときには、時計バンド１０の端部１０ａの両側面に逃げ部２０がそれぞれ設けられているので、この逃げ部２０によって一対のレバー部１８の各薄肉部１８ａが連結辺部１９の両端部を支点として互いに接近する方向に撓み変形し易くなる。これにより、一対のレバー部１８が連結部材１２の一対のピン部１５の各鍔部１５ａを時計バンド１０の端部１０ａの両側面側に向けて押圧する。
【００６２】
このため、一対のレバー部１８の各薄肉部１８ａから突出した一対のピン部１５の各先端部がコイルばね１６のばね力に抗して一対のレバー部１８の各ピン挿入孔２１内に向けて押し込まれる。すると、一対のピン部１５の各先端部がバンド取付部８の一対の取付突起部９の各係止孔１７から抜け出して離脱する。これにより、時計バンド１０の端部１０ａを解除操作部材１１および連結部材１２と共にバンド取付部８から取り外すことができる。
【００６３】
この後、一対のピン部１５をコイルばね１６のばね力に抗してパイプ部１４内に向けて押し込む。これにより、一対のピン部１５の各先端部が一対のレバー部１８の各ピン挿入孔２１から押し出されて、一対のレバー部１８の各ガイド溝２２内に押し出される。この状態で、解除操作部材１１を時計バンド１０の端部１０ａから時計バンド１０の長手方向に沿ってスライドさせると、一対のピン部１５の各先端部が一対のレバー部１８の各ガイド溝２２に沿って移動して各ガイド溝２２から離脱する。
【００６４】
そして、時計バンド１０の端部１０ａの貫通孔１３内から連結部材１２を抜き出すことにより、連結部材１２を時計バンド１０から取り外すことができると共に、解除操作部材１１を時計バンド１０から取り外すことができる。これにより、ドライバーなどの工具や特殊な冶具などを用いずに、時計バンド１０を簡単にかつ容易に交換することができる。
【００６５】
このように、この腕時計のバンド取付構造によれば、一対の取付突起部９に係止孔１７が設けられたバンド取付部８と、一対の取付突起部９間に配置される端部１０ａに貫通孔１３が設けられた時計バンド１０と、この時計バンド１０の貫通孔１３内に配置されるパイプ部１４からピン部１５が弾力的に突出して一対の取付突起部９の係止孔１７に挿入する連結部材１２と、時計バンド１０の端部１０ａにこれを跨いで配置された一対のレバー部１８を互いに接近する方向に押圧操作して、連結部材１２のピン部１５を一対の取付突起部９の係止孔１７から離脱させる解除操作部材１１と、を備えていることにより、簡単な構造で、容易に時計バンド１０を取り外すことができる。
【００６６】
すなわち、この腕時計のバンド取付構造では、解除操作部材１１を時計バンド１０の端部１０ａにこれを跨いで配置し、この状態で連結部材１２によって時計バンド１０の端部１０ａに取り付けることができるので、構造が簡単で、部品点数も少なく、組み立て作業が簡単で、容易に製作することができる。
【００６７】
また、このバンド取付構造では、解除操作部材１１の一対のレバー部１８を互いに接近する方向に押圧操作するだけで、ピン部１５を一対の取付突起部９の係止孔１７から離脱させることができるので、容易に時計バンド１０をバンド取付部８から取り外すことができる。このため、簡単な構造で、容易に時計バンド１０を取り外すことができるので、工具や冶具などを用いずに、時計バンド１０を簡単に交換することができる。
【００６８】
この場合、解除操作部材１１は、一対のレバー部１８に連結部材１２のピン部１５が挿入して突出するピン挿入孔２１が設けられ、このピン挿入孔２１から突出したピン部１５によって一対のレバー部１５がバンド取付部８に回転可能な状態で取り付けられ、この状態で一対のレバー部１８が互いに接近する方向に押圧操作されて弾性変形することにより、ピン部１５を一対の取付突起部９の係止孔１７から離脱させることができるので、容易に時計バンド１０をバンド取付部８から取り外すことができる。
【００６９】
また、この解除操作部材１１は、一対のレバー部１８が互いに接近する方向に押圧操作されて弾性変形する際に、連結部材１２のピン部１５に設けられた鍔部１５ａをパイプ部１４内に向けて移動させることにより、ピン部１５を一対の取付突起部９の係止孔１７から確実にかつ良好に離脱させることができるので、容易に時計バンド１０をバンド取付部８から取り外すことができる。
【００７０】
さらに、この解除操作部材１１は、ピン挿入孔２１に対応する個所の一対のレバー部１８が薄肉部１８ａに形成されて時計バンド１０の端部１０ａの両側と一対の取付突起部９との間に配置され、時計バンド１０の端部１０ａの下面側（裏面側）に突出する個所の一対のレバー部１８が厚肉部１８ｂに形成されていることにより、時計バンド１０の端部１０ａの下面側（裏面側）に突出した厚肉部１８ｂを互いに接近する方向に押圧操作して、一対のレバー部１８の薄肉部１８ａを確実にかつ良好に弾性変形させることができる。
【００７１】
すなわち、解除操作部材１１は、一対のレバー部１８が互いに接近する方向に押圧操作された際に、連結辺部１９の両端部を支点として一対のレバー部１８を互いに接近する方向に確実にかつ良好に弾性変形させることができる。これにより、ピン部１５を一対の取付突起部９の係止孔１７から離脱させることができるので、工具や冶具などを用いずに、時計バンド１０をバンド取付部８から簡単に取り外すことができ、時計バンド１０を容易に交換することができる。
【００７２】
この場合、時計バンド１０の端部１０ａにおける両側部には、一対のレバー部１８を互いに接近する方向に弾性変形させるための逃げ部２０が設けられていることにより、一対のレバー部１８を互いに接近する方向に押圧操作した際に、逃げ部２０によって一対のレバー部１８を互いに接近する方向に確実にかつ良好に撓み変形させることができる。
【００７３】
すなわち、この逃げ部２０は、時計バンド１０の端部１０ａに設けられた貫通孔１３の中心を境にして、時計バンド１０の下部側を切り欠くことによって形成されているので、この切り欠かれた逃げ部２０によって互いに接近する方向に押圧操作された一対のレバー部１８が撓み変形する際に、一対のカバー部１８を逃がすことができるので、一対のレバー部１８を確実にかつ良好に撓み変形させることができる。
【００７４】
また、このバンド取付構造では、解除操作部材１１の一対のレバー部１８に、連結部材１２のピン部１５をピン挿入孔２１にガイドするガイド溝２２がそれぞれ設けられていることにより、連結部材１２を一対のレバー部１８に取り付ける際に、ピン部１５をパイプ部１４に押し込んだ状態で、連結部材１２を一対のレバー部１８間に配置すると、パイプ部１４から弾力的に押し出されたピン部１５の先端部をガイド溝２２内に配置させることができ、この状態でピン部１５の先端部をガイド溝２２に沿って移動させるだけで、簡単にかつ確実にピン部１５の先端部をピン挿入孔２１に挿入させることができる。
【００７５】
このため、解除操作部材１１を時計バンド１０に取り付ける際には、一対のレバー部１８を時計バンド１０の両側に配置し、時計バンド１０の端部１０ａに設けられた貫通孔１３に連結部材１２のパイプ部１４を挿入させ、このパイプ部１４にピン部１５を押し込んだ状態で、一対のレバー部１８を時計バンド１０に沿って移動させるだけで、ピン部１５の先端部をガイド溝２２によってガイドしてピン挿入孔２１に簡単にかつ確実に挿入させることができる。
【００７６】
また、このバンド取付構造では、腕時計ケース１のバンド取付部８に対する解除操作部材１１の回転位置を規制するレバー規制部２４を備えていることにより、解除操作部材１１が連結部材１２によってバンド取付部８に回転可能に取り付けられていても、レバー規制部２４によって解除操作部材１１の回転位置を規制することができるので、解除操作部材１１を予め定められた位置に確実にかつ良好に規制することができ、これにより時計バンド１０の端部１０ａの回転位置を規制することができる。
【００７７】
すなわち、レバー規制部２４は、一対のレバー部１８の各薄肉部１８ａと各厚肉部１８ｂとの境界部分に設けられた段差状の傾斜部であり、この傾斜部がバンド取付部８の一対の取付突起部９の下端部に当接することにより、バンド取付部８に対する解除操作部材１１の回転位置を確実にかつ良好に規制することができる。このため、解除操作部材１１が連結部材１２によってバンド取付部８に回転可能に取り付けられていても、レバー規制部２４によって解除操作部材１１の回転位置を確実にかつ良好に規制することができる。
【００７８】
この場合、解除操作部材１１は、腕時計ケース１の下面側（裏面側）から衝撃を受けると、時計バンド１０が連結部材１２を中心に腕時計ケース１の上側に向けて回転し、これに伴って解除操作部材１１の一対のレバー部１８も、連結部材１２を中心に同方向に回転し、このときに解除操作部材１１の連結辺部１９が腕時計ケース１のベゼル３に弾力的に当接するので、このベゼル３によって衝撃を良好に吸収することができる。
【００７９】
さらに、このバンド取付構造では、解除操作部材１１に対する時計バンド１０の回転位置を規制するバンド規制部２３を備えていることにより、時計バンド１０が連結部材１２によってバンド取付部８に回転可能に取り付けられていても、バンド規制部２３で時計バンド１０の端部１０ａの回転位置を規制することができ、これにより解除操作部材１１による解除操作ができない状態に、時計バンド１０を位置規制することができる。
【００８０】
すなわち、このバンド規制部２３は、ほぼ長方形状の突起部であり、一対のレバー部１８の各厚肉部１８ｂにおける各対向面の下部に互いに対向する方向に突出して設けられているので、連結部材１２を中心に時計バンド１０が腕時計ケース１の下側に向けて回転した際に、バンド規制部２３に時計バンド１０の端部１０ａの下面（裏面）が当接することにより、連結部材１２を中心とする時計バンド１０の回転位置を確実に規制することができる。
【００８１】
これにより、解除操作部材１１の一対のレバー部１８が互いに接近する方向に撓み変形しないようにすることができる。このため、腕時計ケース１を時計バンド１０によって腕に取り付けた状態で使用している際に、不用意に解除操作部材１１の一対のレバー部１８が互いに接近する方向に弾性変形することがなく、時計バンド１０がバンド取付部８から勝手に外れないようにすることができる。
【００８２】
なお、上述した実施形態では、解除操作部材１１に対する時計バンド１０の回転位置を規制するバンド規制部２３を一対のレバー部１８の各対向面に設けた場合について述べたが、必ずしも一対のレバー部１８の各対向面に設ける必要はなく、一対のレバー部１８の各対向面のうち、いずれか一方の対向面のみに設けた構成であっても良い。
【００８３】
また、バンド規制部２３は、必ずしも一対のレバー部１８に設ける必要はなく、例えば図１０に示すように、時計バンド１０の両側面に突起部としてバンド規制部３０を設けた構成であっても良い。この場合、バンド規制部３０は、時計バンド１０が連結部材１２を中心に回転して、時計バンド１０の両側部が一対のレバー部１８の各厚肉部１８ｂ間に配置された際に、一対のレバー部１８の縁部に当接するように形成されていれば良い。
【００８４】
また、上述した実施形態では、時計バンド１０を腕時計ケース１から取り外して交換する場合に、時計バンド１０の端部１０ａを腕時計ケース１の上側に向けて回転させて、時計バンド１０の端部１０ａを解除操作部材１１の一対のレバー部１８における各厚肉部１８ｂ間から離脱させるようにして、時計バンド１０は、連結部材１２を中心に解除操作部材１１の一対のレバー部１８に対して所定の角度開いた状態となるようにしたが、これに限らず、例えば解除操作部材１１を腕時計ケース１の下側に向けて回転できるようにして、解除操作部材１１を腕時計ケース１の下側に向けて回転させ、時計バンド１０は、連結部材１２を中心に解除操作部材１１の一対のレバー部１８に対して所定の角度開いた状態となるようにしても良い。この場合も、一対のレバー部１８を互いに接近する方向に押圧操作することで、時計バンド１０の端部１０ａを解除操作部材１１および連結部材１２と共にバンド取付部８から取り外すことができる。
【００８５】
また、上述した実施形態では、腕時計ケース１がケース本体２と外装ケース３とで構成されている場合について述べたが、これに限らず、例えば金属や硬質の合成樹脂からなるケース本体のみで腕時計ケースを構成しても良い。この場合には、ケース本体にバンド取付部が一体に形成されていれば良い。
【００８６】
さらに、上述した実施形態では、腕時計のバンド取付構造に適用した場合について述べたが、必ずしも腕時計である必要はなく、例えば腕などの人体に装着して使用する血圧計や脈拍計などの電子機器に適用することができるほか、鞄やバッグなどにも適用することができる。
【００８７】
以上、この発明の一実施形態について説明したが、この発明は、これに限られるものではなく、特許請求の範囲に記載された発明とその均等の範囲を含むものである。
以下に、本願の特許請求の範囲に記載された発明を付記する。
【００８８】
（付記）
請求項１に記載の発明は、一対の取付突起部に係止孔が対向して設けられたバンド取付部と、前記一対の取付突起部間に端部が配置され、この端部に貫通孔が前記係止孔と同一軸上で対応して設けられたバンドと、前記バンドの前記貫通孔内に配置されるパイプ部の両端部からピン部がそれぞれ弾力的に突出して前記一対の取付突起部の前記係止孔に挿入する連結部材と、前記バンドの前記端部にこれを跨いで配置された一対のレバー部を互いに接近する方向に押圧操作して、前記連結部材の前記ピン部を前記一対の取付突起部の前記係止孔から離脱させる解除操作部材と、を備えていることを特徴とするバンド取付構造である。
【００８９】
請求項２に記載の発明は、請求項１に記載のバンド取付構造において、前記解除操作部材は、前記一対のレバー部に前記連結部材の前記ピン部が挿入して突出するピン挿入孔が設けられ、このピン挿入孔から突出した前記ピン部によって前記一対のレバー部が前記バンド取付部に取り付けられ、この状態で前記一対のレバー部が互いに接近する方向に押圧操作されて弾性変形することにより、前記連結部材の前記ピン部を前記一対の取付突起部の前記係止孔から離脱させることを特徴とするバンド取付構造である。
【００９０】
請求項３に記載の発明は、請求項１または請求項２に記載のバンド取付構造において、前記解除操作部材は、前記一対のレバー部が互いに接近する方向に押圧操作されて弾性変形する際に、前記連結部材の前記ピン部に設けられた鍔部を前記パイプ部内に向けて移動させることにより、前記ピン部を前記一対の取付突起部の前記係止孔から離脱させることを特徴とするバンド取付構造である。
【００９１】
請求項４に記載の発明は、請求項１〜請求項３のいずれかに記載のバンド取付構造において、前記解除操作部材の前記一対のレバー部を互いに接近する方向に押圧操作して前記バンドを交換する場合に、前記バンドは、前記連結部材を中心に前記一対のレバー部に対して所定の角度開いた状態とすることを特徴とするバンド取付構造である。
【００９２】
請求項５に記載の発明は、請求項４に記載のバンド取付構造において、前記バンドの前記端部の両側には、前記解除操作部材の前記一対のレバー部が互いに接近する方向に押圧操作された際に、前記一対のレバー部を弾性変形させるための逃げ部が設けられていることを特徴とするバンド取付構造である。
【００９３】
請求項６に記載の発明は、請求項１〜請求項５のいずれかに記載のバンド取付構造において、前記バンドを腕に付けて使用する場合に、前記バンドは、前記連結部材を中心に前記一対のレバー部に対して所定の角度開いていない状態とし、前記解除操作部材は、前記一対のレバー部を互いに接近する方向に押圧操作されても、前記一対のレバー部が前記バンドの前記端部の両側面に当接することにより、前記連結部材の前記ピン部を前記一対の取付突起部の前記係止孔から離脱させないことを特徴とするバンド取付構造である。
【００９４】
請求項７に記載の発明は、請求項６に記載のバンド取付構造において、前記解除操作部材に対する前記バンドの回転位置を規制するバンド規制部を備えていることを特徴とするバンド取付構造である。
【００９５】
請求項８に記載の発明は、請求項１〜請求項７のいずれかに記載のバンド取付構造において、前記解除操作部材は、前記連結部材の前記ピン部が挿入されるピン挿入孔に対応する個所の前記一対のレバー部が薄肉部に形成されて前記バンドの前記端部の両側と前記一対の取付突起部との間に配置され、前記バンドの前記端部の裏面側に突出する個所の前記一対のレバー部が厚肉部に形成され、前記バンドの前記端部の裏面側に突出した前記厚肉部が互いに接近する方向に押圧操作された際に、前記薄肉部が弾性変形することを特徴とするバンド取付構造である。
【００９６】
請求項９に記載の発明は、請求項１〜請求項８のいずれかに記載のバンド取付構造において、前記解除操作部材の前記一対のレバー部における互いに対向する各対向面には、前記連結部材の前記ピン部を前記ピン挿入孔にガイドするガイド溝がそれぞれ設けられていることを特徴とするバンド取付構造である。
【００９７】
請求項１０に記載の発明は、請求項１〜請求項９のいずれかに記載のバンド取付構造において、前記バンド取付部に対する前記解除操作部材の回転位置を規制するレバー規制部を備えていることを特徴とするバンド取付構造である。
【００９８】
請求項１１に記載の発明は、請求項１〜請求項１０のいずれかに記載されたバンド取付構造を備えていることを特徴とする腕時計である。
【符号の説明】
【００９９】
１  腕時計ケース
８  バンド取付部
９  取付突起部
１０  時計バンド
１０ａ  端部
１１  解除操作部材
１２  連結部材
１３  貫通孔
１４  パイプ部
１５  ピン部
１５ａ  鍔部
１６  コイルばね
１７  係止孔
１８  レバー部
１８ａ  薄肉部
１８ｂ  厚肉部
１９  連結辺部
２０  逃げ部
２１  ピン挿入孔
２２  ガイド溝
２３、３０  バンド規制部
２４  レバー規制部
【図１】
2015230240.tif 000003
【図２】
2015230240.tif 000004
【図３】
2015230240.tif 000005
【図４】
2015230240.tif 000006
【図５】
2015230240.tif 000007
【図６】
2015230240.tif 000008
【図７】
2015230240.tif 000009
【図８】
2015230240.tif 000010
【図９】
2015230240.tif 000011
【図１０】
2015230240.tif 000012